(57)【要約】【課題】分離型携帯電話端末の形状デザイン変更を容易に行う着せ替えパネル及び携帯電話端末を提供する。【解決手段】第１の筐体と第２の筐体とが連結部で着脱可能に連結された分離型携帯電話端末の着せ替えパネルであって、前記着せ替えパネルは、前記第１の筐体若しくは第２の筐体を挟み込む着せ替えパネル上部と着せ替えパネル下部とから構成され、前記着せ替えパネル下部の筐体と接する面に設けられた補助パネルは、一端が前記着せ替えパネル下部に稼動可能に結合され、他方は前記筐体の端部と一致する形状であることを特徴とする。【選択図】図５
2011097450.tif 000002
【特許請求の範囲】
【請求項１】
第１の筐体と第２の筐体とが連結部で着脱可能に連結された分離型携帯電話端末の着せ替えパネルであって、
前記着せ替えパネルは、前記第１の筐体若しくは第２の筐体を挟み込む着せ替えパネル上部と着せ替えパネル下部とから構成され、
前記着せ替えパネル下部の筐体と接する面に設けられた補助パネルは、一端が前記着せ替えパネル下部に稼動可能に結合され、他方は前記筐体の端部と一致する形状であることを特徴とする着せ替えパネル。
【請求項２】
前記補助パネルは、前記筐体の端部と一致する部分に連結部を設け、前記筐体を前記着せ替えパネル下部にはめ込む際の支軸となることを特徴とする請求項１記載の着せ替えパネル。
【請求項３】
第１の筐体と第２の筐体とが連結部で着脱可能に連結された分離型携帯電話端末であって、
前記筐体は、用途上突出する電子部品部分以外全てがカバーで覆われ、電子部品の欠落を防ぎ、
前記第１の筐体若しくは第２の筐体に装着される着せ替えパネルは、
筐体を挟み込む着せ替えパネル上部と着せ替えパネル下部とから構成され、
前記着せ替えパネル下部の前記筐体と接する面に設けられた補助パネルは、一端が前記着せ替えパネル下部に稼動可能に結合され、他方は前記筐体の端部と一致する形状であることを特徴とする携帯電話端末。
【請求項４】
前記補助パネルは、前記筐体の端部と一致する部分に連結部を設け、前記筐体を前記着せ替えパネル下部にはめ込む際の支軸となることを特徴とする請求項３記載の携帯電話端末。
【請求項５】
前記用途上突出する電子部品は、ディスプレイ部、カメラレンズ、数字キー、バッテリーのいずれかであり、用途上必要な部分のみ前記カバーから露出して前記筐体に装着され、欠落を防止する請求項３又は４記載の携帯電話端末。
【請求項６】
前記第１の筐体と第２の筐体との連結部は、磁力により接合する接合部と、近距離無線接続を行う無線部と、から構成されるヒンジであることを特徴とする請求項３から５のいずれか１項記載の携帯電話端末。
【発明の詳細な説明】
【技術分野】
【０００１】
本発明は、着せ替えパネル及び携帯電話端末に関し、特に分離型携帯電話端末の形状デザイン変更を容易に行う着せ替えパネル及び携帯電話端末に関する。
【背景技術】
【０００２】
携帯電話端末の購入においては、機能（アプリケーション）とデザインが重視される。近年の携帯電話端末は、カメラ機能、ワンセグ視聴機能、電子マネー機能などの搭載により高機能化され、高価な商品となっている。その結果、高機能・高価格の携帯電話端末を購入した場合は、買い替えサイクルが長くなる傾向にある。
【０００３】
一方、機能変更とデザイン変更を考えた場合、機能変更は買い替えが必要となるが、デザイン変更は買い替え無しで行うことが可能である。例えば、筐体の一部を構成する筐体面を変更（カバー変更）するデザイン着せ替えが知られている（特許文献１参照）。
【０００４】
特許文献１記載の携帯電話機におけるデザイン着せ替えは、テンキーや表示部などの制約を受ける筐体面以外の筐体面デザイン変更に着目している。特に折畳み型の携帯電話装置は、折り畳んだ状態でも露出する筐体面にはスイッチ類などが少なく、かつこの筐体の外観のほとんどを占める筐体面の変更が、大きくデザインを変えることに着目し、折畳み型携帯電話装置の筐体の一部を構成する筐体面を交換することで、デザインを簡単に変更することを提供している。また、着せ替える外側パネルに、この外側パネルから露出する一部装置（サブ表示部、カメラ窓）の開口部が設けられている実施形態も開示されている（特許文献１、段落００２６〜００３３）。
【先行技術文献】
【特許文献】
【０００５】
【特許文献１】特開２００５−９４５３３号公報
【発明の概要】
【発明が解決しようとする課題】
【０００６】
従来のデザイン着せ替えは、筐体の一部を構成する外側パネルの変更やカバー取り付けによる色や模様の変更に留まっている。これは、携帯電話端末の露出する装置（キー操作部、カメラ、ディスプレイ等）に制約されることを避けた筐体面の着せ替えパネルを提供しているためである。
【０００７】
しかしながら、上述したように高価格の携帯電話端末は買い替えが容易ではないため、デザイン着せ替えの需要が増しているが、一部筐体面の色や模様の変更だけでは飽きる可能性が高い。そこで、携帯電話端末自体の形状も容易に変更できれば、飽きることなく、さらに多様なデザイン着せ替えを楽しむことが出来る。
【０００８】
しかし、携帯電話端末自体の形状デザインまで変更しようとすると、筐体面全てを着せ替える必要もあり、ユーザ側で行うことは困難であった。
【０００９】
ここで、近年提供されている分離型携帯電話端末における形状デザイン変更であれば、形状デザイン変更を容易に行える可能性がある。分離型携帯電話端末に関しては、様々な形態が提案されている。
【００１０】
例えば、電話本体を小型化するために、ダイヤルキーユニットを分離した携帯電話が提案されている（特開平１０−１２６４６７号公報）。ダイヤルキーユニットは主にユーザが自宅等で電話帳登録を行う際に利用し、外出時は電話本体のみを携帯し、電話本体の電話帳検索システムを用いて登録した番号に送信する。これにより、衣服のポケットや鞄等において携帯電話の占めるスペースが小さくなるので、持ち運びが便利になる。
【００１１】
また、携帯電話装置を通話部と受発信部（アンテナや無線通信部を有する無線部）に分離する技術も提案されている（特開２００２−７７３３４号公報、特開２００３−３３３１３６号公報）。これにより、電磁波を発生する受発信部のみを人体から遠ざければ電磁波の悪影響を低減でき、主な機能を受発信部に設けることで通話状態の際に手に持って使用する通話部を一体型の携帯電話と比較して軽量化できる。さらに、受発信部を電波状況の良い場所に置いたままで、通話やデータ通信ができる。なお、通話部と受発信部は、共にBluetooth通信部を備え、近距離無線接続を可能とする。
【００１２】
また、携帯電話装置を携帯電話機本体部（操作部）とディスプレイ部に分離し、共に微弱電波の送受信を行い、近距離無線接続を可能とする技術が提案されている（特開平８−１８１７４４号公報）。本体部と分離ユニットとの電気的接続に可視光や赤外光を利用すると、情報転送において相互の位置関係がずれたり、光線の途中に障害物が入ったりすると回線の接続が切断され情報が転送されない危険がある。そこで、微弱電波（数ｍ以内の到達範囲）を用いている。これにより、携帯電話機本体部とディスプレイ部との位置関係に制限がなく確実に着信情報が転送できる。待ち受け時に、カード型ディスプレイ部又は腕時計型ディスプレイ部のみを、携帯電話機本体部から取り外して、胸ポケットに入れたり、腕に取り付けたり、あるいは机上等に置いたりして、電話無線着信時に常にディスプレイ部の表示が視野内に入る状態とし、携帯電話機本体部は書類カバンやハンドバッグ等に仕舞っておくことが出来る。
【００１３】
携帯電話装置を携帯電話機本体部（操作部）とディスプレイ部とに分離する技術も提案されている（特開２００７−１１０４３９号公報）。操作部にサブディスプレイ、ディスプレイ部にサブマイクを設けることで、分離したディスプレイ部のみで通話中に、分離した操作部を見てメール操作やメモリダイヤルの検索などが行える。
【００１４】
本発明はこのような状況に鑑みてなされたものであり、分離型携帯電話端末の形状デザイン変更を容易に行うことを目的としている。
【課題を解決するための手段】
【００１５】
本発明に係る着せ替えパネルは、第１の筐体と第２の筐体とが連結部で着脱可能に連結された分離型携帯電話端末の着せ替えパネルであって、前記着せ替えパネルは、前記第１の筐体若しくは第２の筐体を挟み込む着せ替えパネル上部と着せ替えパネル下部とから構成され、前記着せ替えパネル下部の筐体と接する面に設けられた補助パネルは、一端が前記着せ替えパネル下部に稼動可能に結合され、他方は前記筐体の端部と一致する形状であることを特徴とする。
【００１６】
本発明に係る携帯電話端末は、第１の筐体と第２の筐体とが連結部で着脱可能に連結された分離型携帯電話端末であって、前記筐体は、用途上突出する電子部品部分以外全てがカバーで覆われ、電子部品の欠落を防ぎ、前記第１の筐体若しくは第２の筐体に装着される着せ替えパネルは、筐体を挟み込む着せ替えパネル上部と着せ替えパネル下部とから構成され、前記着せ替えパネル下部の前記筐体と接する面に設けられた補助パネルは、一端が前記着せ替えパネル下部に稼動可能に結合され、他方は前記筐体の端部と一致する形状であることを特徴とする。
【発明の効果】
【００１７】
本発明によれば、分離型携帯電話端末の形状デザイン変更を容易に行うことが出来る。
【図面の簡単な説明】
【００１８】
【図１】本発明の実施形態に係る着せ替えパネルが装着されていない状態のキー操作部１００の（ａ）断面図、及び（ｂ）外観上面図である。
【図２】本発明の実施形態に係る着せ替えパネルが装着されていない状態のディスプレイ部２００の（ａ）断面図、及び（ｂ）外観上面図である。
【図３】本発明の実施形態に係るキー操作部１００とディスプレイ部２００とが結合した状態の外観側面図である。
【図４】本発明の実施形態に係るディスプレイ部２００用のデザインＡ着せ替えパネルを示す図である。
【図５】本発明の実施形態に係るディスプレイ部２００用のデザインＢ着せ替えパネルを示す図である。
【図６】本発明の実施形態に係る補助パネルの他の形状を例示する図である。
【図７】本発明の実施形態に係るキー操作部１００用のデザインＡ着せ替えパネルを示す図である。
【図８】本発明の実施形態に係るキー操作部１００用のデザインＣ着せ替えパネルを示す図である。
【発明を実施するための形態】
【００１９】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００２０】
（構成）
本実施形態に係る着せ替えは、分離型携帯電話端末における形状変更である。本実施形態に係る着せ替えパネルを装着する分離型携帯電話端末１は、キー操作部１００とディスプレイ部２００に分離する。キー操作部１００とディスプレイ部２００は、共にBluetoothなどの無線技術を用いて接続する。これにより、キー操作部１００とディスプレイ部２００とを結合するヒンジ部分の構造が簡略化される。すなわち、ディスプレイ部とキー操作部とを繋ぐ配線によりヒンジ部分の構造が複雑化しない。
【００２１】
図１は、着せ替えパネルが装着されていない状態のキー操作部１００の（ａ）断面図及び（ｂ）外観上面図である。キー操作部１００は、基板（１）１０１が存在し、基板（１）１０１に数字キー１０２、バッテリー（１）１０４、通信モジュール１０５、ヒンジ（１）１０３が搭載される。
【００２２】
基板（１）１０１を覆うように、カバー（１）１０６が存在する。カバー（１）１０６により、基板（１）１０１や装着された電子部品が露出したり、基板に搭載されている電子部品や配線が欠落したりすることを防ぐ。また、端末の起動中にも着せ替えが可能となる。カバー（１）１０６は、例えばプラスチックやラバーなどの接触点にキズをつけ難い素材を想定する。カバー先端の形状は、携帯電話端末の機種毎に決められる。本実施形態では、簡略化して曲線を描く構成とする。
【００２３】
ヒンジ（１）１０３は、接合部（例えば磁石）１０７、電源部１０８、無線部１０９から構成される。接合部１０７は、キー操作部１００とディスプレイ部２００の固定を行う。
【００２４】
電源部１０８は、充電器に接触してバッテリー（１）１０４へ電力供給を行う他、ディスプレイ部２００の電源部２０８と接触している場合は、バッテリー（２）２０４へ電力供給を行ったり、ディスプレイ部２００側から電力供給を受けたりすることが可能である。
【００２５】
無線部１０９は、キー操作部１００とディスプレイ部２００の通信を行う。例えばBluetoothなどの無線技術を用いて接続する。
【００２６】
図２は、着せ替えパネルが装着されていない状態のディスプレイ部２００の（ａ）断面図、及び（ｂ）外観上面図である。ディスプレイ部２００は、基板（２）２０１が存在し、基板（２）２０１にヒンジ（２）２０３、ディスプレイ２０２、バッテリー（２）２０４、アプリケーションモジュール２０５、カメラレンズ２１０が搭載される。
【００２７】
基板（２）２０１を覆うように、カバー（２）２０６が存在する。カバー（２）２０６により、基板（２）２０１や装着された電子部品が露出したり、基板に搭載されている電子部品や配線が欠落したりすることを防ぐ。また、端末の起動中にも着せ替えが可能となる。カバー（２）２０６は、例えばプラスチックやラバーなどの接触点にキズをつけ難い素材を想定する。カバー先端の形状は、携帯電話端末の機種毎に決められる。本実施形態では、簡略化して曲線を描く構成とする。
【００２８】
ヒンジ（２）２０３は、接合部（例えば磁石）２０７、電源部２０８、無線部２０９から構成される。接合部２０７は、キー操作部１００とディスプレイ部２００の固定を行う。
【００２９】
電源部２０８は、充電器に接触してバッテリー（２）２０４へ電力供給を行う他、キー操作部１００の電源部１０８と接触している場合は、バッテリー（１）１０４へ電力供給を行ったり、キー操作部１００側から電力供給を受けたりすることが可能である。
【００３０】
無線部２０９は、キー操作部１００とディスプレイ部２００の通信を行う。例えばBluetoothなどの無線技術を用いて接続する。
【００３１】
図３は、キー操作部１００とディスプレイ部２００とが結合した状態の外観側面図である。ヒンジ（１）１０９とヒンジ（２）２０９は、１８０度の稼動範囲を持ち、従来の携帯電話端末のような折り畳みなどへのスタイル変更を可能にする。
【００３２】
図３（ａ）は、通常の折畳み時の側面図である。図３（ｂ）は、ワンセグ視聴時の側面図である。ワンセグ視聴時は、ディスプレイ２０２が外側になるよう、ディスプレイ部２００を裏返してキー操作部と結合することも可能である。
【００３３】
次に、上記説明した携帯電話端末１に装着される着せ替えパネルについて説明する。ここでは、デザインＡの着せ替えパネル（着せ替えパネルＡ）からデザインＢの着せ替えパネル（着せ替えパネルＢ）に変更する。着せ替えパネルＡと着せ替えパネルＢは形状が異なる。着せ替えパネルへの装着を容易にすることで、形状の変更も容易に行うことが出来る。
【００３４】
本実施形態では、一例として、単純なスクエア型のデザインＡ、ダイヤル式テレビをイメージしたデザインＢ（ボタン等は飾り）を用いる。
【００３５】
図４は、ディスプレイ部２００用のデザインＡ着せ替えパネルを示す図である。デザインＡは、ディスプレイ部２００を、着せ替えパネルＡ上部２１５と着せ替えパネルＡ下部２１６とで挟む構成となっている（図４（ｂ））。着せ替えパネルＡ下部２１６には、補助パネル２１７が設けられている。
【００３６】
補助パネル２１７は、一端が着せ替えパネルＡ下部２１６と結合され、９０度の稼動が可能である。稼動が可能であれば、結合の構造については特に限定しない。補助パネル２１７の他方の端部は、ディスプレイ部２００の先端形状（凸部）と一致する形状（凹部）となっている。本実施形態では、曲線の形状である。
【００３７】
デザインＡをディスプレイ部２００、着せ替えパネルＡ上部２１５、着せ替えパネルＡ下部２１６に分解し、着せ替えパネルの交換を行う。
【００３８】
図５は、ディスプレイ部２００用のデザインＢ着せ替えパネルを示す図である。着せ替えパネルＢ下部２２６にも、補助パネル２２７が装備されている（図５（ａ））。補助パネル２２７は、一端が着せ替えパネルＢ下部２２６と結合し、他方の端部がディスプレイ部２００の先端形状（凸部）と一致する形状（凹部）となっている（補助パネル２１７と同様）。本実施形態では、曲線の形状である。なお、他の機種のカバー先端形状に対応する補助パネルの一例を図６に示す。
【００３９】
ディスプレイ部先端形状は、上述したように、機種毎に決められるため、ディスプレイ部２００を着せ替えパネルＢ下部２２６にはめる際に、まず当該先端形状を稼動した補助パネル２２７に当て（図５（ａ）参照）、一致すれば当該機種に合った着せ替えパネルであると判断することが出来る。つまり、携帯電話端末は、機種毎にディスプレイやカメラレンズなどのサイズや搭載位置が異なるため、補助パネルの形状（鍵穴）が、ディスプレイ先端の形状（鍵）と一致するか否かにより、着せ替えパネルの装着可否を判断可能とする。
【００４０】
また、図面では簡略化のためディスプレイ部２００は単純な形状となっているが、実際は、ディスプレイ部のカバー（２）２０６から突出する電子部品は、ディスプレイやカメラレンズの他、種々想定される。これら突出した複数の電子部品の位置を全て正確に把握し、着せ替えパネルＢ下部２２６にはめ込むことはユーザにとって困難である。位置がずれた状態で着せ替えパネルＢ下部２２６にはめ込むと電子部品が破損する虞もある。
【００４１】
そこで、補助パネル２２７を、下部２０６から起こし、ディスプレイ部２００の先端形状を補助パネル２２７に当てたまま（図５（ａ）参照）、下部２０６にはめることで、正確な位置に簡単にはめ込むことが出来る。補助パネル２２７にディスプレイ部２００を当てた際に、補助パネル２２７に連結する連結部を設け、補助パネル２２７に連結したディスプレイ部２００を保持して下部２０６にはめ込むことも可能である。
【００４２】
このように、本実施形態に係る補助パネルを用いることで、着せ替えパネルがディスプレイ部に装着可能か判断でき、また、ディスプレイ部２００の着せ替えパネルへの装着を正確に容易にでき、カバーから突出した電子部品を破損することを防止出来る。
【００４３】
デザインＢは、ダイヤル式テレビをイメージしたものであり、例えばデザインＢの着せ替えパネルを装着したディスプレイ部２００でワンセグを視聴し、操作部１００はデザインＡのままリモコンとして用いても良い。上述したように、操作部１００とディスプレイ部２００は、近距離無線通信が可能である。
【００４４】
以上、ディスプレイ部２００用の着せ替えパネルを用い、ディスプレイ部２００の着せ替えを例として説明したが、同様に操作部１００の着せ替えに対応出来ることはもちろんである。
【００４５】
例えば、図７はキー操作部１００用のデザインＡ着せ替えパネルを示す図である。図８は、キー操作部１００用のデザインＣ着せ替えパネルを示す図である。
【００４６】
デザインＣは、デザインＢの着せ替えパネルをはめたディスプレイ部２００をキー操作部と分離させて、離れた場所に置いてワンセグ視聴等しているときに、操作部１００をリモコンとして用いるため、手になじみやすい形状をデザインしたものである。
【００４７】
以上説明したように、本実施形態により、携帯電話端末を買い換えることなく外形を含むデザインの変更が容易に行える。
【００４８】
また、可動式の補助パネルを設けることで着せ替えが容易となり、着せ替え時の露出部品破損を防ぐことが出来る。補助パネル形状が鍵穴の役割を兼ね、異なる機種の誤挿入を防ぐことも出来る。
【００４９】
また、環境面では、不要な買い替えが減少することで電子部品の廃棄削減につながり、経済面では、着せ替えカバー作成という新たな雇用創出の効果も期待される。
【００５０】
以上、本発明を好適な実施形態に基づき具体的に説明したが、本発明は上記のものに限定されるものではなく、その要旨を逸脱しない範囲で種々変更可能であることは言うまでもない。
【符号の説明】
【００５１】
１    分離型携帯電話端末
１００    キー操作部
１０１    基板（１）
１０２    数字キー
１０３    ヒンジ（１）
１０４    バッテリー（１）
１０５    通信モジュール
１０６    カバー（１）
１０７    接合部
１０８    電源部
１０９    無線部
１１５    着せ替えパネルＡ上部（キー操作部）
１１６    着せ替えパネルＡ下部（キー操作部）
１１７    補助パネル
１２５    着せ替えパネルＣ上部（キー操作部）
１２６    着せ替えパネルＣ下部（キー操作部）
１２７    補助パネル
２００    ディスプレイ部
２０１    基板（２）
２０２    ディスプレイ
２０３    ヒンジ（２）
２０４    バッテリー（２）
２０５    アプリケーションモジュール
２０６    カバー（２）
２０７    接合部
２０８    電源部
２０９    無線部
２１０    カメラレンズ
２１５    着せ替えパネルＡ上部（ディスプレイ部）
２１６    着せ替えパネルＡ下部（ディスプレイ部）
２１７    補助パネル
２２５    着せ替えパネルＢ上部（ディスプレイ部）
２２６    着せ替えパネルＢ下部（ディスプレイ部）
２２７    補助パネル
【図１】
2011097450.tif 000003
【図２】
2011097450.tif 000004
【図３】
2011097450.tif 000005
【図４】
2011097450.tif 000006
【図５】
2011097450.tif 000007
【図６】
2011097450.tif 000008
【図７】
2011097450.tif 000009
【図８】
2011097450.tif 000010